(57)【要約】【課題】  プラグ挿入孔を有するレセプタクルを複数対備え、その対をなすレセプタクル同士を両端にプラグを有する光ファイバケーブルで接続して構成される光伝送装置であって、どのレセプタクルとどのレセプタクルとを接続すべきなのかが容易に判別できるものを提供すること。【解決手段】  各レセプタクル対（１，２）（４，５）（７，８）は、外部に露出した露出部に、他のレセプタクル対との間の判別が可能な判別要素を有する。光ファイバケーブル３，６，９は、外部に露出した露出部に、この光ファイバケーブルが接続すべきレセプタクル対の判断要素と共通の判断要素を有するのが望ましい。【選択図】図１
2005062309.tif 000002
【特許請求の範囲】
【請求項１】
プラグ挿入孔を有するレセプタクルを複数対備え、その対をなすレセプタクル同士を両端にプラグを有する光ファイバケーブルで接続して構成される光伝送装置であって、
上記各レセプタクル対は、外部に露出した露出部に、他のレセプタクル対との間の判別が可能な判別要素を有することを特徴とする光伝送装置。
【請求項２】
請求項１に記載の光伝送装置において、
上記光ファイバケーブルは、外部に露出した露出部に、この光ファイバケーブルが接続すべきレセプタクル対の上記判断要素と共通の判断要素を有することを特徴とする光伝送装置。
【請求項３】
請求項１に記載の光伝送装置において、
上記判別要素は伝送信号の種類を表す固有の色であり、
上記光ファイバケーブルとこの光ファイバケーブルが接続すべきレセプタクル対の露出部が同じ色を有することを特徴とする光伝送装置。
【請求項４】
請求項１に記載の光伝送装置において、
上記レセプタクルの上記判別要素が設けられた露出部は、本体をなすホルダからなることを特徴とする光伝送装置。
【請求項５】
請求項１に記載の光伝送装置において、
上記レセプタクルの上記判別要素が設けられた露出部は、上記プラグ挿入孔を開閉可能に塞ぐシャッタからなることを特徴とする光伝送装置。
【請求項６】
請求項１に記載の光伝送装置において、
上記レセプタクルの上記判別要素が設けられた露出部は、上記プラグ挿入孔を着脱可能に塞ぐ保護キャップからなることを特徴とする光伝送装置。
【請求項７】
請求項２に記載の光伝送装置において、
上記光ファイバケーブルの上記判別要素が設けられた露出部は、この光ファイバケーブルの芯線を覆う被覆からなることを特徴とする光伝送装置。
【請求項８】
請求項２に記載の光伝送装置において、
上記光ファイバケーブルの上記判別要素が設けられた露出部は、この光ファイバケーブルのプラグからなることを特徴とする光伝送装置。
【請求項９】
請求項１に記載の光伝送装置を備えたことを特徴とする電子機器。
【発明の詳細な説明】
【技術分野】
【０００１】
この発明は光伝送装置に関する。より詳しくは、この発明は、光ファイバケーブル、その端部に設けられたプラグ、およびそのプラグが挿入されるレセプタクルを含む光伝送装置に関する。
【０００２】
また、この発明はそのような光伝送装置を備えた電子機器に関する。
【０００３】
ここで「電子機器」とは、デジタルＴＶ（テレビジョン）受信機、デジタルＢＳ（放送衛星）チューナ、ＣＳ（通信衛星）チューナ、ＤＶＤ（デジタル・バーサタイル・ディスク）プレーヤ、スーパーオーディオＣＤ（コンパクト・ディスク）プレーヤ、ＡＶ（オーディオ・ビデオ）アンプ、オーディオ、パーソナルコンピュータ、パーソナルコンピュータ周辺機器、携帯電話、ＰＤＡ（パーソナル・デジタル・アシスタンツ）等の情報通信機器や、パチンコ台、ゲーム機器等のアミューズメント機器、その他の光伝送を利用する機器を広く含む。
【背景技術】
【０００４】
光デジタル信号の伝送に用いられるレセプタクル（送信側と受信側のいずれにも用いられる）に関する第１の従来例を図７に示す。図７（ａ）は側面図、図７（ｂ）はプラグ挿入孔方向から見た正面図である。この図７のレセプタクルは、ホルダ１００の正面にプラグ挿入孔１０３を有し、ホルダ１００の内部に発光又は受光の少なくともいずれかを行う光素子を保持している。１０２はホルダ１００の内部に保持されている光素子の端子である。非使用時（プラグ挿入孔１０３にプラグが挿入されていない時を指す。以下同様。）には、プラグ挿入孔１０３に保護キャップ１０１が挿入される。保護キャップ１０１は、送信部又は受信部と光ファイバケーブルのプラグ部との光学的、機械的接合部分へのほこりの侵入、基板組み立て時のフラックスなどの侵入、異物の侵入等に対する保護のために設けられている。また、使用時（光ファイバケーブル端部のプラグが挿入されている時を指す。以下同様。）には、保護キャップ１０１は取り外される。このレセプタクルのホルダ１００及び保護キャップ１０１は、一般的に黒色の樹脂を成型することにより形成されている。
【０００５】
レセプタクルに関する第２の従来例を図８に示す。図８（ａ）は側面図、図８（ｂ）はプラグ挿入孔方向から見た正面図で、シャッタ閉状態であり、図８（ｃ）はプラグ挿入孔方向から見た正面図で、シャッタ開状態である。この図８のレセプタクルは、ホルダ２００の正面に内開き可能なシャッタ２０１とプラグ挿入孔２０３を有し、ホルダ２００内部に発光又は受光の少なくともいずれかを行う光素子を保持している。２０２はホルダ２００の内部に保持されている光素子の端子である。非使用時には、プラグ挿入孔２０３はシャッタ２０１で塞がれている。シャッタ２０１は、図７中の保護キャップ１０１と同様に、送信部又は受信部と光ファイバケーブルのプラグ部との光学的、機械的接合部分へのほこりの侵入、基板組み立て時のフラックスなどの侵入、異物の侵入等に対する保護のために設けられている。また、使用時には、プラグ先端によってシャッタ２０１が内開きに押し開かれ、プラグがプラグ挿入孔２０３に嵌合される。このレセプタクルのホルダ２００及びシャッタ２０１は、一般的に黒色の樹脂を成型することにより形成されている。
【０００６】
レセプタクルに関する第３の従来例を図９に示す（例えば、特許文献１（特開２００２−３６５４９２号公報）参照。）。図９（ａ）は側面図、図９（ｂ）はプラグ挿入孔方向から見た正面図で、シャッタ閉状態であり、図９（ｃ）はプラグ挿入孔方向から見た正面図で、シャッタ開状態である。この図９のレセプタクルは、図８のレセプタクルと同様に、ホルダ３００の正面に内開き可能なシャッタ３０１とプラグ挿入孔３０３を有し、ホルダ３００内部に発光又は受光の少なくともいずれかを行う光素子を保持している。３０２はホルダ３００の内部に保持されている光素子の端子である。この図９のレセプタクルが図８のレセプタクルと相違する点は、各レセプタクルが光送信側レセプタクルであるか、光受信側レセプタクルであるかを判別するために、シャッタ３０１にレセプタクルの種類を判別するための色が付されている点である。光送信側レセプタクルのシャッタは、内部の発光素子の発光色に対して類似色である赤色とし、光受信側レセプタクルのシャッタは、グレーとした例がある。なお、ホルダ３００自体は、一般的に黒色の樹脂を成型することにより形成されている。このレセプタクルによれば、機器の製造業者、取り付け業者が各レセプタクルの取り付け前に、それが送信側レセプタクルであるか受信側レセプタクルであるかを、シャッタの色によって瞬時に判別できる。また、機器のユーザも同様に、例えば一対のレセプタクルが存在するときに、いずれが送信側レセプタクルであるか受信側レセプタクルであるかを、シャッタの色によって瞬時に識別できる。
【０００７】
光ファイバケーブルに関する従来例を図１０に示す。図１０（ａ）は上面図であり、図１０（ｂ）は側面図である。この光ファイバケーブルでは、素線４０３の両端に一対のプラグ４００，４００が設けられている。これらのプラグ４００，４００はそれぞれ、レセプタクルのプラグ挿入孔に嵌合する部分４０４と、ユーザが手で持つつまみ部４０５とから構成されている。光ファイバケーブル素線４０３は芯線４０１の外周に被覆４０２を設けて構成されている。なお、図１０において光ファイバケーブルの構造が分かりやすいように、光ファイバケーブル素線４０３の中央部では被覆４０２を省略して芯線４０１が露出しているように示している。光ファイバケーブルのプラグ４００は、一般的に黒色の樹脂を成型することにより形成され、光ファイバケーブル素線４０３の被覆４０２も黒色の樹脂で形成されている。
【０００８】
さて最近の電子機器では、送信側レセプタクルと受信側レセプタクルをそれぞれ複数台実装し、それらの間を光ファイバケーブルで接続することが多くなっている。しかしながら、図７から図９までのいずれかに示したレセプタクルが送信側レセプタクル、受信側レセプタクルとしてそれぞれ複数台設けられた場合、どの送信側レセプタクルとどの受信側レセプタクルとを接続すべきなのかが、瞬時には分かりにくいという問題がある。このため、例えば光ファイバケーブル接続時に、機器の設計図を見ながら、送信側レセプタクルと受信側レセプタクルとの対応関係を一つずつ照合して接続することになり、接続作業が煩雑になる。また、予め実装基板上に接続先を記号などで表示しておき、その記号に基づいて接続を行う方式も考えられるが、実装基板上のスペースの制約から小さな字で記載せざるを得ないため、接続先を誤ってしまうことがある。また、接続作業後に接続先を誤っているかどうかの判別も困難である。接続先を誤った結果、機器が不良品になってしまうこともある。
【０００９】
なお、図９に示したレセプタクルのように送信側レセプタクルと受信側レセプタクルとの間でシャッタ部に別の色が付されている場合であっても、それらが送信側レセプタクル、受信側レセプタクルとしてそれぞれ複数台設けられた場合、どの送信側レセプタクルとどの受信側レセプタクルとを接続すべきなのかが分かりにくいという事情は、全く同様である。
【特許文献１】特開２００２−３６５４９２号公報
【発明の開示】
【発明が解決しようとする課題】
【００１０】
そこで、この発明の課題は、プラグ挿入孔を有するレセプタクルを複数対備え、その対をなすレセプタクル同士を両端にプラグを有する光ファイバケーブルで接続して構成される光伝送装置であって、どのレセプタクルとどのレセプタクルとを接続すべきなのかが容易に判別できるものを提供することにある。
【００１１】
また、この発明の課題は、そのような光伝送装置を備えた電子機器を提供することにある。
【課題を解決するための手段】
【００１２】
上記課題を解決するため、この発明の光伝送装置は、プラグ挿入孔を有するレセプタクルを複数対備え、その対をなすレセプタクル同士を両端にプラグを有する光ファイバケーブルで接続して構成される光伝送装置であって、上記各レセプタクル対は、外部に露出した露出部に、他のレセプタクル対との間の判別が可能な判別要素を有することを特徴とする。
【００１３】
この発明の光伝送装置では、各レセプタクル対は、外部に露出した露出部に、他のレセプタクル対との間の判別が可能な判別要素を有する。したがって、どのレセプタクルとどのレセプタクルとを接続すべきなのかが、その判別要素に基づいて容易に判別される。したがって、光ファイバケーブルによる接続作業が容易になり、接続先を誤ることが防止される。また、接続作業後に接続先を誤っているかどうかの判別も容易である。
【００１４】
一実施形態の光伝送装置では、上記光ファイバケーブルは、外部に露出した露出部に、この光ファイバケーブルが接続すべきレセプタクル対の上記判断要素と共通の判断要素を有することを特徴とする。
【００１５】
この一実施形態の光伝送装置では、どのレセプタクルとどの光ファイバケーブルとを接続すべきなのかが、両者が有する共通の判断要素に基づいて判別される。したがって、光ファイバケーブルによる接続作業がさらに容易になり、接続先を誤ることが防止される。また、接続作業後に接続先を誤っているかどうかの判別もさらに容易になる。
【００１６】
一実施形態の光伝送装置では、上記判別要素は伝送信号の種類を表す固有の色であり、上記光ファイバケーブルとこの光ファイバケーブルが接続すべきレセプタクル対の露出部が同じ色を有することを特徴とする。
【００１７】
「伝送信号の種類を表す固有の色」とは、或る伝送信号の種類を表す色と、別の伝送信号の種類を表す色とが異なっていることを意味する。
【００１８】
この一実施形態の光伝送装置では、どのレセプタクルとどのレセプタクルとを接続すべきなのかが、上記色に基づいて目視により瞬時に判別される。また、上記色に基づいて伝送信号の種類が目視により瞬時に識別される。
【００１９】
一実施形態の光伝送装置では、上記レセプタクルの上記判別要素が設けられた露出部は、本体をなすホルダからなることを特徴とする。
【００２０】
この一実施形態の光伝送装置では、上記レセプタクルの上記判別要素が設けられた露出部は、本体をなすホルダからなる。したがって、上記ホルダの外観（色など）を可変して設定することによって、上記判別要素が容易に構成される。
【００２１】
一実施形態の光伝送装置では、上記レセプタクルの上記判別要素が設けられた露出部は、上記プラグ挿入孔を開閉可能に塞ぐシャッタからなることを特徴とする。
【００２２】
この一実施形態の光伝送装置では、上記レセプタクルの上記判別要素が設けられた露出部は、上記プラグ挿入孔を開閉可能に塞ぐシャッタからなる。したがって、上記シャッタの外観（色など）を可変して設定することによって、上記判別要素が容易に構成される。
【００２３】
一実施形態の光伝送装置では、上記レセプタクルの上記判別要素が設けられた露出部は、上記プラグ挿入孔を着脱可能に塞ぐ保護キャップからなることを特徴とする。
【００２４】
この一実施形態の光伝送装置では、上記レセプタクルの上記判別要素が設けられた露出部は、上記プラグ挿入孔を着脱可能に塞ぐ保護キャップからなる。したがって、上記保護キャップの外観（色など）を可変して設定することによって、上記判別要素が容易に構成される。
【００２５】
一実施形態の光伝送装置では、上記光ファイバケーブルの上記判別要素が設けられた露出部は、この光ファイバケーブルの芯線を覆う被覆からなることを特徴とする。
【００２６】
この一実施形態の光伝送装置では、上記光ファイバケーブルの上記判別要素が設けられた露出部は、この光ファイバケーブルの芯線を覆う被覆からなる。したがって、上記被覆の外観（色など）を可変して設定することによって、上記判別要素が容易に構成される。
【００２７】
一実施形態の光伝送装置では、上記光ファイバケーブルの上記判別要素が設けられた露出部は、この光ファイバケーブルのプラグからなることを特徴とする。
【００２８】
この一実施形態の光伝送装置では、上記光ファイバケーブルの上記判別要素が設けられた露出部は、この光ファイバケーブルのプラグからなる。したがって、上記プラグの外観（色など）を可変して設定することによって、上記判別要素が容易に構成される。
【００２９】
この発明の電子機器は、上記光伝送装置を備えたことを特徴とする。
【００３０】
この発明の電子機器は、上記光伝送装置による作用効果を奏する。すなわち、上記光伝送装置の各レセプタクル対は、外部に露出した露出部に、他のレセプタクル対との間の判別が可能な判別要素を有する。したがって、どのレセプタクルとどのレセプタクルとを接続すべきなのかが、その判別要素に基づいて容易に判別される。したがって、光ファイバケーブルによる接続作業が容易になり、接続先を誤ることが防止される。また、接続作業後に接続先を誤っているかどうかの判別も容易である。
【００３１】
なお、上記光ファイバケーブルは、外部に露出した露出部に、この光ファイバケーブルが接続すべきレセプタクル対の上記判断要素と共通の判断要素を有するのが望ましい。
【００３２】
また、上記判別要素は伝送信号の種類を表す固有の色であり、上記光ファイバケーブルとこの光ファイバケーブルが接続すべきレセプタクル対の露出部が同じ色を有するのが望ましい。
【００３３】
また、上記光伝送装置における対をなすレセプタクルが、それぞれ互いに別の電子機器に設けられていても良い。
【発明を実施するための最良の形態】
【００３４】
以下、この発明を図示の実施の形態により詳細に説明する。
【００３５】
（第１の実施の形態）
図１は、本発明の光伝送装置を備えた電子機器の例として、パチンコ台８０の制御系のブロック構成を示している。
【００３６】
このパチンコ台８０は、このパチンコ台の動作全体を制御するメインボード８１と、パチンコ台に設けられた液晶や発光ダイオード等に映像を表示するための映像表示ボード「１」８２および映像表示ボード「２」８３と、パチンコ台から効果音を出すための音源ボード８４と、パチンコ玉を払い出す制御を行う払い出し部８５と、パチンコ玉を打ち出す制御を行う打ち出し部８６と、各部へ電源を供給するための電源ボード８７とを備えている。メインボード８１には複数の送信側レセプタクル１、４、７が実装されている。一方、映像表示ボード「１」８２、映像表示ボード「２」８３、音源ボード８４には、それぞれ送信側レセプタクル１、４、７と対をなす受信側レセプタクル２、５、８が実装されている。送信側レセプタクル１と受信側レセプタクル２とは光ファイバケーブル３で接続され、送信側レセプタクル４と受信側レセプタクル５とは光ファイバケーブル６で接続され、また、送信側レセプタクル７と受信側レセプタクル８とは光ファイバケーブル９で接続されている。これにより、メインボード８１から各ボード８２、８３、８４へそれぞれ必要な光信号が伝送される。なお、メインボード８１と払い出し部８５、打ち出し部８６、電源ボード８７との間は、それぞれ電線８８、８９、９０で接続されている。
【００３７】
図４は上記各光ファイバケーブル３、６、９の概略構造を示している。図４（ａ）は上面図であり、図４（ｂ）は側面図である。この光ファイバケーブルでは、素線３３の両端に一対のプラグ３０，３０が設けられている。これらのプラグ３０，３０はそれぞれ、レセプタクルのプラグ挿入孔に嵌合する部分３４と、ユーザが手で持つつまみ部３５とから構成されている。光ファイバケーブル素線３３は芯線３１の外周に被覆３２を設けて構成されている。なお、図４において光ファイバケーブルの構造が分かりやすいように、光ファイバケーブル素線３３の中央部では被覆３２を省略して芯線３１が露出しているように示している。プラグ３０の側面には、レセプタクルに挿入される際の案内の便宜のために、側方へ突起したガイド突起部３６が設けられている。
【００３８】
図２、図３は上記各レセプタクル（送信側と受信側のいずれにも用いられる）の概略構造を示している。図２（ａ）は側面図、図２（ｂ）はプラグ挿入孔方向から見た正面図で、シャッタ閉状態であり、図２（ｃ）はプラグ挿入孔方向から見た正面図で、シャッタ開状態である。図３は図２（ａ）の切断線Ａ−Ａにおけるシャッタ閉状態の矢視断面図である。このレセプタクルは、主ホルダ１０と、主ホルダ１０の前方から嵌合される副ホルダ１４とを本体として備えている。主ホルダ１０と副ホルダ１４の正面には、プラグを受け入れるためのプラグ挿入孔１５が設けられている。
【００３９】
プラグ挿入孔１５の入口には、内開き可能なシャッタ１１が設けられている。このシャッタ１１は上下方向に延びる回転軸（軸部）１６の周りに回動可能に取り付けられている。シャッタ１１の裏側には弾性体としてのスプリング１７が設けられている。そのスプリング１７は、一方がシャッタ１１の裏面に当接すると共に他方が副ホルダ１４に当接する一対の腕部を備えている。非使用時（プラグ挿入孔１５にプラグ３０が挿入されていない時を指す。以下同様。）には、シャッタ１１はスプリング１７によって前方へ付勢されて、プラグ挿入孔１５の入口を塞いでいる。したがって、プラグ挿入孔１５内部の光学的、機械的接合部分へのほこりの侵入、基板組み立て時のフラックスなどの侵入、異物の侵入等を防止することができる。プラグ挿入孔１５にプラグ３０が挿入されると、プラグ３０の先端に押されてシャッタ１１は内側へ開く。使用時（プラグ挿入孔１５にプラグ３０が挿入されている時を指す。以下同様。）は、シャッタ１１はプラグ挿入孔１５の内面に沿って開いたままの状態になる。プラグ挿入孔１５からプラグ３０が抜き取られると、シャッタ１１はスプリング１７によって前方へ付勢されて、再び閉じられる。
【００４０】
また、プラグ挿入孔１５の内縁には、プラグ３０側面のガイド突起部３６に対応する位置にガイド溝部１９が形成されている。プラグ挿入孔１５にプラグ３０が挿入される途中、ガイド溝部１９がガイド突起部３６を案内する。
【００４１】
主ホルダ１０内部のプラグ挿入孔１５の奥に相当する箇所には、発光又は受光の少なくともいずれかを行う光素子１２ａが収容されている。具体的には、光素子１２ａは、送信側レセプタクルでは発光素子であり、受信側レセプタクルでは受光素子である。光ファイバケーブルのプラグ３０がプラグ挿入孔１５に挿入された状態で、光素子１２ａとプラグ３０とが光結合するようになっている。なお、光素子１２ａからホルダ外部へリード端子１２が延びている。
【００４２】
また、主ホルダ１０から下方へ、板金からなる足１３が延びている。この足１３は各ボード（基板）８１、８２、８３、８４に形成された穴に挿入され、各ボードにレセプタクルを取り付ける便宜のために用いられる。これにより、各ボード８１、８２、８３、８４にレセプタクルをワンタッチで簡単に取り付けることができる。その後、リード端子１２が各ボード上の配線に半田付けされる。
【００４３】
さて図１において、光ファイバケーブルによる接続作業時に、映像表示ボード「１」８２に実装された受信側レセプタクル２は、メインボード８１に実装された送信側レセプタクル１と光ファイバケーブル３で接続されなければ映像表示がうまくできない。同様に、映像表示ボード「２」８３に実装された受信側レセプタクル５は、メインボード８１に実装された送信側レセプタクル４と光ファイバケーブル６で接続されなければ映像表示がうまくできない。同様に、音源ボード８４に実装された受信側レセプタクル８は、メインボード８１に実装された送信側レセプタクル７と光ファイバケーブル９で接続されなければ映像表示がうまくできない。
【００４４】
しかしながら、複数対のレセプタクルが実装されている場合、接続ミスが発生する可能性がでてくる。接続ミスをなくすため、基板上に記号等で印をつけることも考えられるが、見えやすい位置に大きな字で記入することは困難である。
【００４５】
そこで、この実施形態では、伝送信号の種類毎に、外部に露出した露出部に判断要素として固有の色を使って、誤配線を防止する。
【００４６】
固有の色としては、例えば映像表示ボード「１」用信号系統には赤、映像表示ボード「２」用信号系統には緑、音源ボード用信号系統には黄色を用いる。
【００４７】
また、各ボードに実装後のレセプタクルについては、外部に露出した露出部、つまりユーザが目視で確認できる部分は、シャッタ１１と主ホルダ１０と副ホルダ１４である。この例では、副ホルダ１４を、例えばＰＢＴ樹脂に所望のカラーの着色料を混ぜることにより着色し、成型することにより形成する。
【００４８】
また、光ファイバケーブルについては、使用時に、外部に露出した露出部、つまりユーザが目視で確認できる部分は、プラグ３０と光ファイバケーブル素線の被覆３２である。この例では、プラグ３０を、例えばＰＢＴ樹脂やポリエチレン樹脂に所望のカラーの着色料を混ぜることにより着色し、成型することにより形成する。
【００４９】
より具体的には、映像表示ボード「１」用信号系統では、メインボード８１に実装された送信側レセプタクル１の副ホルダ１４を赤色の樹脂で成型されたものとし、映像表示ボード「１」に実装された受信側レセプタクル２の副ホルダ１４を赤色の樹脂で成型されたもので形成し、光ファイバケーブル３の両端に設けられているプラグ３０も赤色の樹脂で成型されたものとする。
【００５０】
映像表示ボード「２」用信号系統では、メインボード８１に実装された送信側レセプタクル４の副ホルダ１４を緑色の樹脂で成型されたものとし、映像表示ボード「２」に実装された受信側レセプタクル５の副ホルダ１４を緑色の樹脂で成型されたものとし、光ファイバケーブル６の両端に設けられているプラグ３０も緑色の樹脂で成型されたもので形成したものを用いる。
【００５１】
音源ボード用信号系統では、メインボード８１に実装された送信側レセプタクル７の副ホルダ１４を黄色の樹脂で成型されたものとし、音源ボードに実装された受信側レセプタクル８の副ホルダ１４を黄色の樹脂で成型されたものとし、光ファイバケーブル９の両端に設けられているプラグ３０も黄色の樹脂で成型されたものとする。
【００５２】
このように、伝送信号の種類毎に、ユーザが目視で確認できる部分に固有の色を使った場合、接続作業時に、それらの色に基づいて、どのレセプタクルとどの光ファイバケーブルとを接続すべきなのか、また、どのレセプタクルとどのレセプタクルとを接続すべきなのかが容易に判別できる。同色同士で接続すれば良いからである。したがって、光ファイバケーブルによる接続作業が容易になり、接続先を誤ることを防止できる。また、接続作業後に接続先を誤っているかどうかの判別も容易になる。
【００５３】
なお、当然ながら、各レセプタクルについては、副ホルダ１４ではなく、シャッタ１１や主ホルダ１０に固有の色を使っても良い。各光ファイバケーブルについては、プラグ３０ではなく、被覆３２に固有の色を使っても良い。また、着色を行うためには、樹脂に着色料を混ぜて成型するのではなく、樹脂成型後にスプレー等で色を付けても良い。
【００５４】
この実施の形態では、本発明の光伝送装置をパチンコ台内部の接続に適用したを例を示したが、これに限られるものではない。本発明は、ＡＶ機器の接続、ゲーム機器での接続等にも適用することができる。
【００５５】
また、メインボード８１に送信側レセプタクルを、それ以外のボード８２、８３、８４に受信側レセプタクルを実装したが、これに限られるものではない。用途によっては、メインボード８１に受信側レセプタクルを実装し、それ以外のボードに送信側レセプタクルを実装してもよい。
【００５６】
また、各ボード８２、８３、８４にはそれぞれレセプタクルが１台実装されているが、各ボードにそれぞれ複数台のレセプタクルを実装しても良い。
【００５７】
（第２の実施の形態）
図５は、上記パチンコ台の各ボードに搭載される別のレセプタクル（送信側と受信側のいずれにも用いられる）の概略構造を示している。このレセプタクルは、ホルダ４０の正面にプラグ挿入孔４３を有し、ホルダ４０の内部に発光又は受光の少なくともいずれかを行う光素子を保持している。４２はホルダ４０の内部に保持されている光素子の端子である。非使用時には、プラグ挿入孔４３に保護キャップ４１が挿入される。保護キャップ４１は、送信部又は受信部と光ファイバケーブルのプラグ部との光学的、機械的接合部分へのほこりの侵入、基板組み立て時のフラックスなどの侵入、異物の侵入等に対する保護のために設けられている。また、使用時には、保護キャップ４１は取り外される。プラグ挿入孔４３に光ファイバケーブルのプラグが挿入される。
【００５８】
この実施形態では、先に述べた実施形態と同様に、伝送信号の種類毎に、外部に露出した露出部に判断要素として固有の色を使って、誤配線を防止する。
【００５９】
ここで図５のレセプタクルでは、ボードに実装後に外部に露出した露出部、つまりユーザが目視で確認できる部分は、保護キャップ４１とホルダ４０である。この例では、保護キャップ４１を、例えばＰＢＴ樹脂に所望のカラーの着色料を混ぜることにより固有の色に着色し、成型することにより形成する。
【００６０】
上記パチンコ台の各ボードにこのレセクタプルを実装する。伝送信号の種類毎に固有の色を使った場合、接続作業時に、保護キャップ４１の色に基づいて、どのレセプタクルとどの光ファイバケーブルとを接続すべきなのか、また、どのレセプタクルとどのレセプタクルとを接続すべきなのかが容易に判別できる。同色同士で接続すれば良いからである。したがって、光ファイバケーブルによる接続作業が容易になり、接続先を誤ることを防止できる。
【００６１】
なお、接続先を判別した後は、プラグ挿入孔４３に光ファイバケーブルのプラグを挿入するために、レセクタプルから保護キャップ４１が取り除かれる。接続作業後に接続先を誤っているかどうかの判別を容易にするためには、ホルダ４０を伝送信号の種類毎に固有の色に着色すれば良い。
【００６２】
（第３の実施の形態）
図６は、図２に示したのと同じレセプタクルを、電子機器としてのＡＶ機器の実装基板６５に搭載した状態を示している。図６（ａ）は側面図であり、図６（ｂ）はプラグ挿入孔方向から見た正面図である。６０はレセプタクルの主ホルダ、６４は副ホルダ、６３は足、６２はレセプタクル内部に収容された光素子のリード端子を示している。
【００６３】
この図６に示すように、ＡＶ機器の外装ケース６６には、レセプタクルの前面四角部６７より若干大きい寸法をもつ四角窓６８が設けられている。製造業者や取り付け業者によって、レセプタクルが基板６５に取り付けられた状態では、レセプタクルの前面四角部６７が外装ケース６６の四角窓６８に嵌合して、外部に露出している。
【００６４】
このＡＶ機器のレセプタクルは光ファイバケーブルを介して別の電子機器のレセプタクルと接続されることを予定している。
【００６５】
この実施形態でも、先に述べた実施形態と同様に、伝送信号の種類毎に、外部に露出した露出部に判断要素として固有の色を使って、誤配線を防止する。
【００６６】
ここで図６のレセプタクルでは、実装後に外部に露出した露出部、つまりユーザが目視で確認できる部分は、副ホルダ６４とシャッタ６１である。ＡＶ機器等機器同士の接続を主とする場合には、外部に露出している面積が多いシャッタ６１を着色するのが望ましい。さらに、光ファイバケーブル接続後に、接続が正確に行われているか否かについて確認が可能であるように、副ホルダ６４も着色するの望ましい。したがって、この例では、副ホルダ６４とシャッタ６１の双方を、例えばＰＢＴ樹脂に所望のカラーの着色料を混ぜることにより固有の色に着色し、成型することにより形成する。
【００６７】
このようにした場合、接続作業時に、副ホルダ６４とシャッタ６１の色に基づいて、どのレセプタクルとどの光ファイバケーブルとを接続すべきなのか、また、どのレセプタクルとどのレセプタクルとを接続すべきなのかが容易に判別できる。同色同士で接続すれば良いからである。したがって、光ファイバケーブルによる接続作業が容易になり、接続先を誤ることを防止できる。また、接続作業後に接続先を誤っているかどうかの判別も容易になる。
【００６８】
このように、この発明の光伝送装置はパチンコ台のような或る電子機器の内部の接続だけでなく、ＡＶ機器と別の電子機器を接続する場合のように機器間の接続にも好ましく適用できる。
【図面の簡単な説明】
【００６９】
【図１】この発明の光伝送装置が適用されたパチンコ台の制御系のブロック構成を示す図である。
【図２】図１のパチンコ台の各ボードに搭載されるレセプタクルの概略構造を示す図である。（ａ）は側面図、（ｂ）はプラグ挿入孔方向から見た正面図で、シャッタ閉状態を示す図、（ｃ）はプラグ挿入孔方向から見た正面図で、シャッタ開状態を示す図である。
【図３】図２（ａ）におけるＡ−Ａ線矢視断面を示す図である。
【図４】図１のパチンコ台内部のレセプタクル間の接続に用いられる光ファイバケーブルの概略構造を示す図である。（ａ）は上面図であり、（ｂ）は側面図である。
【図５】上記パチンコ台の各ボードに搭載される別のレセプタクルの概略構造を示す図である。（ａ）は側面図、（ｂ）はプラグ挿入孔方向から見た正面図である。
【図６】図２に示したのと同じレセプタクルを、電子機器としてのＡＶ機器の実装基板に搭載した状態を示す図である。（ａ）は側面図、（ｂ）はプラグ挿入孔方向から見た正面図であり、シャッタ閉状態を示す図である。
【図７】レセプタクルに関する第１の従来例の概略構造を示す図である。
【図８】レセプタクルに関する第２の従来例の概略構造を示す図である。
【図９】レセプタクルに関する第３の従来例の概略構造を示す図である。
【図１０】光ファイバケーブルに関する従来例の概略構造を示す図である。
【符号の説明】
【００７０】
１、４、７  送信側レセプタクル
２、５、８  受信側レセプタクル
３、６、９  光ファイバケーブル
１０、６０  主ホルダ
１１、６１  シャッタ
１４、６４  副ホルダ
１５、４３  プラグ挿入孔
３０  プラグ
３１  芯線
３２  被覆
３３  光ファイバケーブル
３４  挿入部
３５  つまみ部
４０  ホルダ
４１  保護キャップ
６５  実装基板
６６  外装ケース
【図１】
2005062309.tif 000003
【図２】
2005062309.tif 000004
【図３】
2005062309.tif 000005
【図４】
2005062309.tif 000006
【図５】
2005062309.tif 000007
【図６】
2005062309.tif 000008
【図７】
2005062309.tif 000009
【図８】
2005062309.tif 000010
【図９】
2005062309.tif 000011
【図１０】
2005062309.tif 000012